(57)【特許請求の範囲】
【請求項１】
少なくとも、１つの山形のスライドリング及び／又はカウンタリング（１）を備えた走行装置シールであって、
前記スライドリング及び／又はカウンタリング（１）の半径方向脚部（２）は滑り面（４）を有しており、
スライドリング及び／又はカウンタリング（１）の軸方向脚部（３）の外側の端部は、台形に形成されたシール体（５）のための切欠き（６）を有しており、これらの切欠き（６）には、前記シール体（５）に一体成形された、相対回動防止部を形成する付加部（７）が係合している、走行装置シールにおいて、
前記滑り面（４）の外側に設けられた、前記スライドリング及び／又はカウンタリング（１）の前記軸方向脚部（３）と前記半径方向脚部（２）との間の移行領域（８）に、成形部（９）が設けられており、
前記シール体（５）に、前記成形部（９）の形状に相補的に嵌まり合うように形成された部分（９′）が設けられていることを特徴とする、走行装置シール。
【請求項２】
前記成形部（９）は、周方向に延びるように形成された、少なくとも１つの段部により形成されている、請求項１記載の走行装置シール。
【請求項３】
前記半径方向脚部（２）から前記軸方向脚部（３）への移行領域（８）は、丸み（１０）を付けられて形成されていて、軸方向脚部側で前記段部（９）に移行している、請求項１又は２記載の走行装置シール。
【請求項４】
前記段部（９）は、丸み（１１）を付けられた形態で、前記軸方向脚部（３）へと延びている、請求項１から３までのいずれか１項記載の走行装置シール。
【請求項５】
前記シール体（５）に、周方向に見て相対回動防止部を形成している複数の付加部（７）が設けられていて、これらの付加部（７）は、前記軸方向脚部（３）の、対応する前記切欠き（６）に係合している、請求項１から４までのいずれか１項記載の走行装置シール。
【請求項６】
周方向に見て、個々の前記付加部（７）の間にエラストマ材料が設けられていて、該エラストマ材料は少なくとも、前記軸方向脚部（３）の、前記相対回動防止部に向かって延びる部分に支持されている、請求項１から５までのいずれか１項記載の走行装置シール。
【発明の詳細な説明】
【技術分野】
【０００１】
本発明は、請求項１の上位概念に記載のスライドリングシール、特に走行装置シールに関する。
【０００２】
台形ゴムリングを備えた走行装置シールは、エラストマ部材により生ぜしめられる小さな力に基づいて、エラストマ部材とスライドリング及び／又はカウンタリングとの間に小さな保持モーメントしか有していない。ねじり力を高める外部からの汚染物質の通常の作用により、既にエラストマ部材とスライドリング及び／又はカウンタリングとの間にねじれが生ぜしめられる恐れがある。
【０００３】
例えば汚れが入り込んだり、腐食作用によって荷重が増大した結果、スライドリング及び／又はカウンタリングとエラストマ部分との間に生じるねじりモーメントが高まる恐れがある。スライドリング及び／又はカウンタリングとエラストマ部材との間の相対運動は、エラストマの摩耗を生ぜしめ、結果的にシールの欠陥を生ぜしめる。
【０００４】
半径方向の相対回動防止部を備えた、冒頭で述べたスライドリングシールは、ＤＥ１０１０４７８８Ａ１に記載されている。従来の相対回動防止部による保護は不十分でしかない。それというのも、この相対回動防止部は、シール体の高い荷重が加えられる領域、延いては変形の少ない領域から比較的離れているからである。取付け状態でのシール体の基本的な変形は、エラストマ部材の後部領域の持ち上がりを生ぜしめ、延いては相対回動防止部が、スライドリング及び／又はカウンタリングの切欠きから外れてしまうこともある。スライドリング及び／又はカウンタリングがねじれ始めると、スライドリング及び／又はカウンタリングの低い剛性に基づいて、相対回動防止部の変形が生じ、延いては形状接続（形状による束縛、例えば係合による結合）が完全に喪失し、これにより、スライドリングシールの作用は失われてしまう。
【０００５】
スライドリング及び／又はカウンタリングは、このスライドリング及び／又はカウンタリングの軸方向脚部から半径方向脚部への移行領域によって形成される、高い荷重が加えられる領域を有している。スライドリング及び／又はカウンタリングとエラストマ部分との間の相対回動防止部が、高い荷重が加えられる領域から大きく離されて配置されているほど、相対回動防止部の弾性変形が生じる恐れがあり、この弾性変形が生じた場合、形状接続、延いては相対回動防止は最早保証されていない。
【０００６】
本発明の課題は、ＤＥ１０１０４７８８Ａ１に記載の従来技術から出発して、最適化された相対回動防止部を備えたスライドリングシール、特に走行装置シールを提供することにある。
【０００７】
この課題は、滑り面の外側に設けられた、スライドリング及び／又はカウンタリングの軸方向脚部から半径方向脚部への移行領域に、成形部が設けられており、該成形部に、シール体の、ほぼ対応するように形成された部分が係合していることにより、解決される。
【０００８】
本発明の有利な改良は、従属請求項に記載されている。
【０００９】
スライドリング及び／又はカウンタリングの軸方向脚部から半径方向脚部への、段状に形成された少なくとも１つの移行領域によって、従来技術から公知の相対回動防止部は、各スライドリング及び／又はカウンタリングの高い荷重が加えられる領域のより近くにもたらされ、これにより、弾性的な変形による相対回動防止部の変形を不可能にする。相対回動防止部の中実で頑丈な幾何学形状に基づき、大きな力も形状接続部によって吸収されるので、エラストマ材料のせん断が生じることはない。
【００１０】
前記成形部は、有利には、半径方向脚部と軸方向脚部との間の移行領域に、周方向に延びるように形成された少なくとも１つの段部によって形成されている。
【００１１】
半径方向脚部から軸方向脚部への移行領域を丸み付けて形成することが有利であり、これにより、各移行領域間に、必要に応じて丸み付けられて形成された縁部が形成される。
【００１２】
本発明の別の思想では、やはり丸み付けられた形状を有する個々の若しくは最後の段部が、スライドリング及び／カウンタリングの軸方向脚部へと延びている。
【００１３】
従来技術の場合と同様に、本発明でもスライドリング及び／又はカウンタリングの周方向に見て各軸方向脚部の外側の端部に複数の切欠きが設けられてよく、これらの切欠きに、相対回動防止部を形成する、シール体の付加部が係合する。
【図面の簡単な説明】
【００１４】
【図１】走行装置シール（詳しくは図示せず）の、本発明によるスライドリング及び／又はカウンタリングの原理を横断面で示した図である。
【図２】一方には従来技術による走行装置シールを、且つ他方には本発明による走行装置シールを斜視図並びに断面図で示した図である。
【００１５】
以下に、本発明の実施形態を図面につき詳しく説明する。
【００１６】
図１には、走行装置シール（ここでは詳細に図示せず）のスライドリング及び／又はカウンタリング１が示されている。以下、スライドリングと呼ぶスライドリング及び／又はカウンタリング１は、半径方向脚部２と、軸方向脚部３とを有している。半径方向脚部側には、滑り面４が設けられている。軸方向脚部３には、台形のシール体として形成されたエラストマ体５が取付けられている。
【００１７】
周方向に見て、軸方向脚部３の自由端部には、相対回動防止部を形成する複数の切欠き６が設けられていて、この切欠き６には、ほぼ対応するように形成されたシール体５の付加部７が係合している。
【００１８】
従来技術とは異なり、相対回動防止部はそれぞれ、対応して形成された付加部７の形状に基づき、高い荷重が加えられる接触領域８の近くに位置する、即ち半径方向脚部２から軸方向脚部３に移行する領域に向かって移動することになる。この目的のために、半径方向脚部２と軸方向脚部３との間の移行領域には成形部９が設けられていて、この成形部９は、本実施形態では１段の段部として形成されている。半径方向脚部２から段部９への移行は、丸み１０により設定可能な幾何学曲線で行われている。同じことは、段部９から軸方向脚部３への移行についても言える。この場合も丸み１１により設定可能な幾何学的な輪郭が設けられている。シール体５は、成形部９に対応する部分９′を有していて、この部分９′でシール体５は成形部９に支持されている。
【００１９】
図２には、スライドリングシール１２の斜視図並びに断面形状が示されている。このスライドリングシール１２は、スライドリング１と、従来技術に相当するカウンタリング１′とを有している。弾性的なシール体５，５′が使用されており、これらのシール体５，５′は、各軸方向脚部３，３′と、対応するケーシング部分１３との間に支持されている。スライドリングシール１２のカウンタリング側の領域は、相対回動防止部（詳しくは図示せず）を備えたカウンタリング１′を有している。本発明によるスライドリング１は、既に図１に示した成形部９を開示するものであり、この場合、軸方向脚部３に設けられた切欠き６を良好に認識することができる。これらの切欠き６には、シール体５の補強された付加部７が係合している。スライドリングシール１２の図の右側の横断面から判るように、スライドリング１とシール体５との間の相対回動防止部は、相対回動防止部の位置が、シール体５と成形部９との間の、高い荷重が加えられる接触領域８の近くに接近させられ、延いてはエラストマ材料の変形が少ない領域内に位置していることによって、従来技術に比べて改良される。形状接続の喪失につながる恐れのある、相対回動防止部の変形又は持ち上がりは、事実上排除されている。相対回動防止部を形成する、シール体５の個々の付加部７の間には、エラストマ材料１４が延在していて、このエラストマ材料１４は少なくとも、軸方向脚部３の、相対回動防止部の側の部分に支持されている。
【００２０】
本発明により、相対回動防止部は極めて頑丈及び中実に構成されるので、これにより、高いねじり力を吸収することもできるようになっている。吸収しようとするねじり力に応じて、シール体５に設けられる付加部７の数、又はスライドリング１の軸方向脚部３に設けられる切欠き６の数が決められる。
【図１】
0006053697.tif 000002
【図２】
0006053697.tif 000003